【手続補正書】
【提出日】平成29年8月23日(2017.8.23)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、前記可変表示部を変動表示した後、前記可変表示部の変動表示を停止することで表示結果を導出し、複数の前記可変表示部の表示結果の組合せである表示結果組合せに応じて入賞が発生可能なスロットマシンにおいて、
前記可変表示部の表示結果を導出させる際に操作される導出操作手段と、
前記可変表示部の表示結果が導出される前に入賞の発生を許容するか否かを決定する事前決定手段と、
前記導出操作手段が操作されたときに前記可変表示部の表示結果を導出させる制御を行う導出制御手段とを備え、
前記導出制御手段は、前記事前決定手段の決定結果が所定結果であるときに特定操作手順によって前記導出操作手段が操作されることにより所定表示結果組合せを導出し、前記事前決定手段の決定結果が前記所定結果であるときに前記導出操作手段が前記特定操作手順以外の手順によって操作されたときには前記所定表示結果組合せを導出せず、
前記スロットマシンは、
前記所定表示結果組合せの導出可能性がある旨を示唆する第１演出を実行する第１演出実行制御および前記所定表示結果組合せの導出可能性が前記第１演出よりも高い旨を示唆する第２演出を実行する第２演出実行制御を行う演出制御手段をさらに備え、
前記演出制御手段は、前記事前決定手段の決定結果が前記所定結果となり且つ前記第１演出実行制御を行った後に、前記導出操作手段が前記特定操作手順によって操作されたときは前記第２演出実行制御を行い、前記導出操作手段が前記特定操作手順以外の手順によって操作されたときは前記第２演出実行制御を行わずに前記第１演出を継続する制御を行い、
前記所定結果は、有利状態に制御させる権利を付与可能な決定結果である
ことを特徴とするスロットマシン。
【請求項２】
各々が識別可能な複数種類の識別情報を変動表示可能な可変表示部を複数備え、前記可変表示部を変動表示した後、前記可変表示部の変動表示を停止することで表示結果を導出し、複数の前記可変表示部の表示結果の組合せである表示結果組合せに応じて入賞が発生可能なスロットマシンにおいて、
前記可変表示部の表示結果を導出させる際に操作される導出操作手段と、
前記可変表示部の表示結果が導出される前に入賞の発生を許容するか否かを決定する事前決定手段と、
前記導出操作手段が操作されたときに前記可変表示部の表示結果を導出させる制御を行う導出制御手段とを備え、
前記導出制御手段は、前記事前決定手段の決定結果が入賞の発生を許容する所定結果であるときに特定操作手順によって前記導出操作手段が操作されることにより入賞が発生する所定表示結果組合せを導出し、前記事前決定手段の決定結果が前記所定結果であるときに前記導出操作手段が前記特定操作手順以外の手順によって操作されたときには前記所定表示結果組合せを導出せず、
前記スロットマシンは、
前記所定表示結果組合せの導出可能性がある旨を示唆する第１選択肢と前記事前決定手段の決定結果が入賞の発生を許容しない結果であるときに導出される表示結果組合せの導出可能性がある旨を示唆する第２選択肢とを提示する第１演出を実行する第１演出実行制御および前記第１選択肢と前記第２選択肢とのうちの前記第１選択肢を選択結果として提示する第２演出を実行する第２演出実行制御を行う演出制御手段をさらに備え、
前記演出制御手段は、前記事前決定手段の決定結果が前記所定結果となり且つ前記第１演出実行制御を行った後に、前記導出操作手段が前記特定操作手順によって操作されたときは前記第２演出実行制御を行い、前記導出操作手段が前記特定操作手順以外の手順によって操作されたときは前記第２演出実行制御を行わずに前記第１選択肢と前記第２選択肢とのうちの前記第２選択肢を選択結果として提示する演出を実行する制御を行い、
前記所定結果は有利状態に制御させる権利を付与可能な決定結果である
ことを特徴とするスロットマシン。
【手続補正２】
【補正対象書類名】明細書
【補正対象項目名】０００７
【補正方法】変更
【補正の内容】
【０００７】
そこで、本発明は、このような問題点に着目してなされたものであり、所定表示結果組合せが表示されない手順で導出操作手段が操作されたときに、示唆した表示結果の内容と実際の表示結果とに矛盾が生じることを防止することができるスロットマシンを提供することを目的とする。
【手続補正３】
【補正対象書類名】明細書
【補正対象項目名】０００８
【補正方法】変更
【補正の内容】
【０００８】
上記課題を解決するために、本発明のスロットマシンは、
各々が識別可能な複数種類の識別情報を変動表示可能な可変表示部を複数備え、前記可変表示部を変動表示した後、前記可変表示部の変動表示を停止することで表示結果を導出し、複数の前記可変表示部の表示結果の組合せである表示結果組合せに応じて入賞が発生可能なスロットマシンにおいて、
前記可変表示部の表示結果を導出させる際に操作される導出操作手段と、
前記可変表示部の表示結果が導出される前に入賞の発生を許容するか否かを決定する事前決定手段と、
前記導出操作手段が操作されたときに前記可変表示部の表示結果を導出させる制御を行う導出制御手段とを備え、
前記導出制御手段は、前記事前決定手段の決定結果が所定結果であるときに特定操作手順によって前記導出操作手段が操作されることにより所定表示結果組合せを導出し、前記事前決定手段の決定結果が前記所定結果であるときに前記導出操作手段が前記特定操作手順以外の手順によって操作されたときには前記所定表示結果組合せを導出せず、
前記スロットマシンは、
前記所定表示結果組合せの導出可能性がある旨を示唆する第１演出を実行する第１演出実行制御および前記所定表示結果組合せの導出可能性が前記第１演出よりも高い旨を示唆する第２演出を実行する第２演出実行制御を行う演出制御手段をさらに備え、
前記演出制御手段は、前記事前決定手段の決定結果が前記所定結果となり且つ前記第１演出実行制御を行った後に、前記導出操作手段が前記特定操作手順によって操作されたときは前記第２演出実行制御を行い、前記導出操作手段が前記特定操作手順以外の手順によって操作されたときは前記第２演出実行制御を行わずに前記第１演出を継続する制御を行い、
前記所定結果は、有利状態に制御させる権利を付与可能な決定結果である。
また、各々が識別可能な複数種類の識別情報を変動表示可能な可変表示部を複数備え、前記可変表示部を変動表示した後、前記可変表示部の変動表示を停止することで表示結果を導出し、複数の前記可変表示部の表示結果の組合せである表示結果組合せに応じて入賞が発生可能なスロットマシンにおいて、
前記可変表示部の表示結果を導出させる際に操作される導出操作手段と、
前記可変表示部の表示結果が導出される前に入賞の発生を許容するか否かを決定する事前決定手段と、
前記導出操作手段が操作されたときに前記可変表示部の表示結果を導出させる制御を行う導出制御手段とを備え、
前記導出制御手段は、前記事前決定手段の決定結果が入賞の発生を許容する所定結果であるときに特定操作手順によって前記導出操作手段が操作されることにより入賞が発生する所定表示結果組合せを導出し、前記事前決定手段の決定結果が前記所定結果であるときに前記導出操作手段が前記特定操作手順以外の手順によって操作されたときには前記所定表示結果組合せを導出せず、
前記スロットマシンは、
前記所定表示結果組合せの導出可能性がある旨を示唆する第１選択肢と前記事前決定手段の決定結果が入賞の発生を許容しない結果であるときに導出される表示結果組合せの導出可能性がある旨を示唆する第２選択肢とを提示する第１演出を実行する第１演出実行制御および前記第１選択肢と前記第２選択肢とのうちの前記第１選択肢を選択結果として提示する第２演出を実行する第２演出実行制御を行う演出制御手段をさらに備え、
前記演出制御手段は、前記事前決定手段の決定結果が前記所定結果となり且つ前記第１演出実行制御を行った後に、前記導出操作手段が前記特定操作手順によって操作されたときは前記第２演出実行制御を行い、前記導出操作手段が前記特定操作手順以外の手順によって操作されたときは前記第２演出実行制御を行わずに前記第１選択肢と前記第２選択肢とのうちの前記第２選択肢を選択結果として提示する演出を実行する制御を行い、
前記所定結果は有利状態に制御させる権利を付与可能な決定結果である
そのような構成によれば、演出により示唆した表示結果の内容と実際の表示結果とに矛盾が生じることを防止することができる。